(57)【要約】【課題】簡便な構造のスペーサを用いて隙間調整のために時間を費やさないで、短時間のうちに密着度を測定する密着度測定器用プッシャー装置を提供する。【解決手段】プッシャー装置はシリンダ１０内を往復運動するプランジャー１１を有するプッシャー３を備える。また、密着度測定時に基本レールとトングレールとの間の間隙をプッシャー３と共に詰める、プッシャー３背面とトングレールの間に介装されるスペーサ１５を有する。スペーサ１５はプッシャー厚さを調整するねじ１６を備え、密着度測定時にスペーサ１５を回してスペーサ１５を含むプッシャー厚さｔ1を調整することができる。【選択図】図２
2006291523.tif 000002
【特許請求の範囲】
【請求項１】
シリンダ内を往復運動するプランジャーを有するプッシャーと、密着度測定時に基本レールとトングレールまたはフロントロッド肘金具との間の間隙を前記プッシャーと共に詰めるように、前記プッシャー背面と前記トングレールまたは肘金との間に介装されるスペーサとを備える密着度測定器用プッシャー装置において、前記スペーサがスペーサ自身を含むプッシャー厚さを調整する機構を備えることを特徴とする密着度測定器用プッシャー装置。
【請求項２】
前記調整機構がねじ要素で構成されることを特徴とする請求項１記載の密着度測定器用プッシャー装置。
【発明の詳細な説明】
【技術分野】
【０００１】
本発明は分岐器に組み込まれたトングレールの密着度を測定する際に簡便な構造のスペーサを用いてプッシャー背面の隙間を詰め、短時間で密着度を測定するようにした密着度測定器用プッシャー装置に関する。
【背景技術】
【０００２】
一般に、鉄道軌道では１つの線路から他の線路への分岐点に分岐器が用いられる。この分岐器には通過する列車がスムーズに分岐線等へ移るのを助ける手段としてトングレールが組み込まれる。転換終了時には、トングレールは一定の与圧をもって一方の基本レールに押し付けられている。列車通過時の外力によってもトングレール先端が容易に開口しないよう抑止するためであり、こうした状態は「密着」と定義される。
【０００３】
開口を抑止する与圧はスイッチアジャスタの調整による密着力によって確保される。スイッチアジャスタ密着力を直接測定する方法が未だ確立されていないため密着程度はトングレール先端を所定量開口させるのに要する先端開口力を「密着度」として定義され、各鉄道輸送事業者において基準値が定められている。
【０００４】
トングレール開口抑止を目的として調整される密着程度を測るために用いられる密着度測定器は、昇圧した作動油をプッシャーに導き、プッシャーによる加圧力をトングレールに作用させ、レール先端を所定量だけ開口させたときの荷重を測るようにしたものが知られている（たとえば、林総事（株）製品案内「ハンディスケール」参照）。
【０００５】
ここで、使用されるプッシャーは基本レールとトングレールまたはフロントロッド肘金具との間に装着される比較的小形の装置で、１つのプッシャーで多岐にわたる分岐器に対応させることが可能である。
【非特許文献１】林総事株式会“ホームページ”、［on line］（平成１７年１月３１日検索）インターネット〈ＵＲＬ：http://www.hayashisoji.com/product/handy.html〉
【発明の開示】
【発明が解決しようとする課題】
【０００６】
多数の種別毎に固有の構造を有する分岐器では、基本レールとトングレールとの間隙は大小様々な値を持つのが一般的である。このような分岐器に密着度測定器のプッシャーを装着したとき、プッシャー単独では詰めることのできない隙間が生じる。
【０００７】
通常、トングレールの密着度の測定は双方のレール間に微量の開口がある、または双方のレールが閉じた状態で行わなければならないので、予め用意した何枚かの板状スペーサから適当な厚さのスペーサを選び、これをプッシャー背面とトングレールまたはフロントロッド肘金具との間に挿入して条件が満たされるまで、隙間を調整するという、手間の掛かる作業を強いられる。仮に、予め用意した板状スペーサに測定対象の分岐器構造にマッチしたものが見出せないときは、板状スペーサの厚さを変える再加工等が必要になり、測定以外の作業のために無断な時間を費やすことになる。
【０００８】
そこで、本発明の目的は簡便な構造のスペーサを用いて隙間調整のために時間を費やさないで、短時間のうちに密着度を測定することを可能にした密着度測定器用プッシャー装置を提供することにある。
【課題を解決するための手段】
【０００９】
本発明はシリンダ内を往復運動するプランジャーを有するプッシャーと、密着度測定時に基本レールとトングレールまたは肘金との間の間隙をプッシャーと共に詰めるように、プッシャー背面とトングレールまたはフロントロッド肘金具との間に介装されるスペーサとを備える密着度測定器用プッシャー装置において、スペーサがスペーサ自身を含むプッシャー厚さを調整する機構を備えることを特徴とするものである。
【００１０】
本発明においてはスペーサがプッシャー厚さを調整する機構を備える。このような手段を備えるプッシャー装置では分岐器に装着するのに先立って、測定対象の分岐器の基本レールとトングレールまたはフロントロッド肘金具との間隙に適合するように、調整機構を操作してプッシャー厚さを調整する。これにより、密着度の測定では隙間調整のために時間を費やさないで、短時間のうちに密着度を測定することができる。
【発明を実施するための最良の形態】
【００１１】
本発明によるプッシャー装置の一実施の形態について図面を参照して説明する。図１（ａ）（ｂ）において、本発明の密着度測定器は作動油を所定の圧力に上昇させる、ポンプ室を有する本体１を備える。この本体１は外部系統２を介してプッシャー３と結ばれている。この本体１には作動油を昇圧するレバー４が設けられる。外部系統２は金属製の細管５と、プラスチック製の高圧ホース６とからなる。細管５はその入口が本体１と結ばれると共に、出口が高圧ホース６と結ばれる。密着度測定中トングレールを押すプッシャー３は高圧ホース６の先端に取付けられる。
【００１２】
また、本体１の外側に臨ませたノブ７を有し、このノブ７によって本体内部の弁を開閉することができる。細管５と高圧ホース６とは回転式継手８で連結され、密着度測定時には高圧ホース６を所定の方向に向けることができる。また、細管５の経路内には密着度測定時に荷重値を読むためのメータ９が設けられる。
【００１３】
図２に示すように、プッシャー３は円筒状のシリンダ１０を備える。このシリンダ１０は往復運動するプランジャー１１を収容している。シリンダ１０は軸心に沿って突出している突片１２を有する。この突片１２はプランジャー１１中心に穿たれた中心孔１３に挿入されている。プランジャー１１は作動油の圧力が働く背面が平坦な面として、一方トングレールと接する前面が所定の半径で曲面に形成される。シリンダ１０と摺接するプランジャー１１の外周面にはゴム製のOリング１４が装着される。
【００１４】
また、プッシャー３はその背面に装着されるスペーサ１５を備える。このスペーサ１５は調節機構としてのねじ１６を有する。このねじ１６はシリンダ１０の突片１２の中心に刻設されたねじ孔１７と螺合しており、スペーサ１５を回転することで、プッシャー厚さを変えることが可能である。
【００１５】
シリンダ１０の前面にはプランジャー１１の外周縁を覆うようにカバー１８が設けられる。このカバー１８は複数の皿小ねじ１９によってシリンダ１０に固定される。また、シリンダ１０の側面に作動油をシリンダ内に導く継手２０が接続される。
【００１６】
図３（ａ）（ｂ）に示すように、スペーサ１５は前面にプッシャー厚さを調整する手段、すなわちスペーサ１５と一体に形成されるねじ１６を有する。このねじ１６により密着度測定においてはスペーサ１５を回すことで、図２に示すスペーサ１５を含む、プッシャー厚さｔ1を変えることができる。スペーサ１５の外周近くには補助スペーサ（後記）を装着するための一対のピン孔２１が穿たれる。本実施の形態のスペーサ厚さｔ0は５ｍｍであり、この結果、プッシャー厚さｔ1は１８．５ｍｍから２３．５ｍｍの範囲で調整することが可能である。
【００１７】
上記密着度測定器による測定は次の手順で行う。分岐器への装着に先立って、シリンダ１０のねじ孔１７にスペーサ１５のねじ１６を合わせながら、スペーサ１５を回してプッシャー厚さを測定対象の分岐器の基本レールとトングレールとの間の間隙に適合するプッシャー厚さｔ1（図２参照）に調整する。分岐器構造は多岐にわたっているが、基本レールとトングレールまたはフロントロッド肘金具との間隙が１８．５ｍｍ〜２３．５ｍｍであるとき、このプッシャー厚さに合わせることで、密着度を測定することが可能である。
【００１８】
次いで、密着度測定器を分岐器に取付ける。プランジャー１１先端の加圧突起がカバー１８表面から突出していないことを確認し、図４に示すように、プランジャー１１の加圧突起が基本レールＲと接し、スペーサ１５の背面がトングレールＲAと接するように、プッシャー装置を取付ける。図に示す隙間Ｇを測定し、仮に２ｍｍよりも大きい場合、スペーサ１５を微量回転させて隙間Ｇが２ｍｍ以内になるように再調整する。
【００１９】
次いで、本体１の外にあるノブ７を回して本体１内の弁を閉止する。次に、レバー４を持って往復運動させ、作動油をシリンダ１０内に送り込み、プランジャー１１を作動させる。プランジャー１１の加圧突起が基本レールＲと接し、このとき、トングレールがＲAは図において矢印方向に僅かに変位して基本レールＲとトングレールＲAとの間に微量の開口が生じる。１ｍｍまたは０．５ｍｍシックネスゲージで開口を測り、適正な範囲内であれば、メータ９において荷重値を読み取る。
【００２０】
なお、測定の終了ではノブ７を逆方向に回して弁を開動作させ、プッシャー３のシリンダ１０から作動油を逃がす。このとき、基本レールＲとトングレールＲAとの間の開口が閉じる。
【００２１】
このように本実施の形態においてはプッシャー厚さを調整可能にするスペーサ１５を用いて隙間調整のために時間を費やさないで、短時間のうちに密着度を測定することができる。
【００２２】
本発明の異なる実施の形態について説明する。図５において、プッシャー３はその背面に装着される組み合わせスペーサ２２を備える。この組み合わせスペーサ２２はスペーサ１５と補助スペーサ２３とからなる。補助スペーサ２３は予め決められた厚さ（１３．５ｍｍ）に形成されており、前面に突出している一対のピン２４を有する。この一対のピン２４はスペーサ１５の一対のピン孔２１に嵌入できるようにピン孔内径よりも僅かに細く形成される。
【００２３】
本実施の形態の組み合わせスペーサ２２は、上記実施の形態と同様に、密着度測定において、スペーサ１５を回転させて図に示すプッシャー厚さｔ2を変えることができる。本実施の形態では組み合わせスペーサ厚さｔ0は１８．５ｍｍであり、この結果、プッシャー厚さｔ2は３２ｍｍから３７ｍｍの範囲で調整することが可能である。
【００２４】
本実施の形態では分岐器への装着に先立って、シリンダ１０のねじ孔１７にスペーサ１５のねじ１６を合わせながら、スペーサ１５を回してプッシャー厚さを分岐器に適合するプッシャー厚さｔ2に調整する。次いで、密着度測定器を分岐器に取付ける。以後、上述の実施の形態と同じ手順で密着度を測定する。
【００２５】
本実施の形態においてはプッシャー厚さを調整可能にする組み合わせスペーサ２２を用いて隙間調整のために時間を費やさないで、短時間のうちに密着度を測定することができる。
【００２６】
本発明の異なる実施の形態について説明する。図６において、プッシャー３はその背面に装着される可変長スペーサ２５を備える。この可変長スペーサ２５は雄ねじ２６を有する第１スペーサ２７と、雌ねじ２８を有する第２スペーサ２９とを備え、使用する際に雄ねじ２６と雌ねじ２８とを螺合させて可変長スペーサ２５として一体に組み合わせる。第１スペーサ２７は前面に突出している一対のピン３０を有する。この一対のピン３０はシリンダ１０のピン孔３１に嵌入できるようにピン孔内径よりも僅かに細く形成される。
【００２７】
本実施の形態の可変長スペーサ２５は密着度測定においてスペーサ自身の長さを調整して図に示すプッシャー厚さｔ3を変えることができる。本実施の形態の可変長スペーサ厚さｔ0は２５．５ｍｍから３８．５ｍｍの範囲まで調整することが可能であり、この結果、プッシャー厚さｔ3は３９ｍｍから５２ｍｍの範囲で調整することが可能である。
【００２８】
なお、本実施の形態のプッシャー装置は図７に示すような基本レールＲとフロントロッド肘金具Ｍとの間に装着して使用される。
【００２９】
本実施の形態では分岐器への装着に先立って、可変長スペーサ２５の長さを調整してプッシャー厚さを測定対象の分岐器に適合するプッシャー厚さｔ3に調整する。次いで、図７に示すように、密着度測定器のプッシャー３をフロントロッド肘金具Ｍに当て、可変長スペーサ２５を基本レールＲに当てて取付ける。以後、上述の実施の形態と同じ手順で密着度を測定する。
【００３０】
本実施の形態においてもプッシャー厚さを調整可能にする可変長スペーサ２５を用いて隙間調整のために時間を費やさないで、短時間のうちに密着度を測定することができる。
【産業上の利用可能性】
【００３１】
本発明のプッシャー装置はトングレールの密着度の測定において基本レールとトングレールとの間隙を詰めるのに隙間調整のために時間を掛けず、短時間で測定するのに有用である。
【図面の簡単な説明】
【００３２】
【図１】本発明に係るプッシャー装置を備える密着力測定器を示すもので、（ａ）は密着度測定器の平面図。（ｂ）は密着度測定器の正面図である。
【図２】本発明によるプッシャー装置の一実施の形態を示す断面図である。
【図３】図２に示されるスペーサの詳細を示すもので、（ａ）はスペーサの平面図、（ｂ）はスペーサの側面図である。
【図４】本発明の基本レールとトングレールとの間に装着されたプッシャー装置で密着度を測定するときの様子を示す説明図である。
【図５】本発明によるプッシャー装置の他の実施の形態を示す断面図である。
【図６】本発明によるプッシャー装置の他の実施の形態を示す断面図である。
【図７】本発明の基本レールとフロントロッド肘金具との間に装着されたプッシャー装置で密着度を測定するときの様子を示す説明図である。
【符号の説明】
【００３３】
１…  本体
３…  プッシャー
６…  高圧ホース
１０…  シリンダ
１１…  プランジャー
１５…  スペーサ
１６…  ねじ
２２…  組み合わせスペーサ
２３…  補助スペーサ
２５…  可変長スペーサ
２７…  第１スペーサ
２９…  第２スペーサ
【図１】
2006291523.tif 000003
【図２】
2006291523.tif 000004
【図３】
2006291523.tif 000005
【図４】
2006291523.tif 000006
【図５】
2006291523.tif 000007
【図６】
2006291523.tif 000008
【図７】
2006291523.tif 000009